(57)【要約】      （修正有）【課題】従来の酸素バブル発生装置は、簡単な装置では、ミクロサイズのバブルが多いので酸素が水中に長時間滞在しない。またナノサイズのバブル発生装置は大掛かりで複雑なものが多く、多方面で利用することが可能な装置を提供する。【解決手段】ナノサイズ孔径のＳＰＧを利用して酸素を水中に取り入れると、４００〜５００ナノのバブルが大多数をしめるので、長時間水中に留まり、溶存酸素量を長時間高くなり、ＳＰＧを組み入れた装置は簡単でコンパクトなので多方面の産業分野での利用が可能となる。【選択図】なし【特許請求の範囲】
【請求項１】
ＳＰＧを組み入れたモジュールを使って、コンパクトで短時間に高濃度の溶存酸素水を製造して供給する装置。
【請求項２】
ＳＰＧ入り口にテーパー部を設け、ＳＰＧ内を流れる流速を早めて、負圧を大きくする工夫をしたモジュール。
【発明の詳細な説明】
【技術分野】
【０００１】  本発明は、ＳＰＧを利用して簡単に酸素水を製造する装置に関する。
【背景技術】
【０００２】  従来の酸素水製造に関するものには、強制的に酸素を水中に吹き込んだり、ポンプで機械的に酸素のバブルを細かくして注入したものや、電気分解を利用した物がある。
【発明の開示】
【発明が解決しようとする課題】
【０００３】  従来の装置では、酸素バブルの径がミクロサイズで大きいので、短時間で大気中に放出され、利用効果が少ない。又、ナノサイズのバブル発生装置は大掛かりなものになり、多方面での活用が難しい。【０００４】  本発明は、従来の装置が有していた問題を解決しようとするものであり、酸素水を簡単な装置で製造して、多方面で活用できることを目的とする。
【課題を解決するための手段】
【０００５】  本発明は上記の目的を達成する為に，ＳＰＧ（シラス多孔質ガラス）を使用することで、簡単にナノサイズの酸素バブルが発生し、それを水中に吹き込んで、溶存酸素の濃度を短時間で通常の状態の３〜５倍にできる。【０００６】  また、装置の中でＳＰＧを組み入れるモジュールに細工を施し、短時間でより多くの酸素が溶け込むような構造にしている。
【発明の効果】
【０００７】  本発明のＳＰＧ酸素水製造装置は、コンパクトで通常状態の３〜５倍の溶存酸素水を農業や漁業用など多方面で活用できる。【０００８】  溶存酸素３〜５倍の水を農作物に散布すると成長が著しく助成され、生産性の向上につながることが、実証されている。【０００９】  また、高濃度の溶存酸素を入れた水槽内の実験では、めだかや金魚の成長が顕著な事が確認されているので、養殖漁業などの生産性向上にもが期待もてる。
【発明を実施するための最良の形態】
【００１０】  以下、本発明の実施の形態を図１〜図４に基づいて説明する。【００１１】  本装置は図１，２において、１酸素濃縮装置、２水タンク、３ポンプ、４，５ＳＰＧモジュールを組み合わせたものである。【００１２】  図１，２において２のタンク内の水を、４，５の２つのモジュールを通過させることで、簡単に酸素水ができる。【００１３】  図１，２の１は既製の酸素濃縮装置で、ＳＰＧモジュールに酸素を供給する。【００１４】  図３で１１の酸素供給口に１で製造した酸素を送り、モジュール内を酸素で満たす。その状態でＳＰＧ膜内を水が通過すると、負圧により酸素のバブルが水に混入する。【００１５】  図３で、孔径０．１ミクロンのＳＰＧ膜を用いると、０．５ミクロン前後のバブルが一番多く存在する酸素水ができる。【００１６】  図３のモジュールで、ＳＰＧの入り口に１０のテーパー部を設けて水の流速を早める事により、負圧を高め簡単に酸素バブルが水に混入できる。
【図１】
2009018296.tif 000002
【図２】
2009018296.tif 000003
【図３】
2009018296.tif 000004
【図４】
2009018296.tif 000005
【手続補正書】
【提出日】平成19年10月11日(2007.10.11)
【手続補正２】
【補正対象書類名】明細書
【補正対象項目名】全文
【補正方法】変更
【補正の内容】
【発明の詳細な説明】
【技術分野】
【０００１】  本発明は、ＳＰＧを利用して簡単に酸素水を製造する装置に関する。
【背景技術】
【０００２】  従来の酸素水製造に関するものには、強制的に酸素を水中に吹き込んだり、ポンプで機械的に酸素のバブルを細かくして注入したものや、電気分解を利用した物がある。
【発明の開示】
【発明が解決しようとする課題】
【０００３】  従来の装置では、酸素バブルの径がミクロサイズで大きいので、短時間で大気中に放出され、利用効果が少ない。又、ナノサイズのバブル発生装置は大掛かりなものになり、多方面での活用が難しい。【０００４】  本発明は、従来の装置が有していた問題を解決しようとするものであり、酸素水を簡単な装置で製造して、多方面で活用できることを目的とする。
【課題を解決するための手段】
【０００５】  本発明は上記の目的を達成する為に，ＳＰＧ（シラス多孔質ガラス）を使用することで、簡単にナノサイズの酸素バブルが発生し、それを水中に吹き込んで、溶存酸素の濃度を短時間で通常の状態の３〜５倍にできる。【０００６】  また、装置の中でＳＰＧを組み入れるモジュールに細工を施し、短時間でより多くの酸素が溶け込むような構造にしている。
【発明の効果】
【０００７】  本発明のＳＰＧ酸素水製造装置は、コンパクトで通常状態の３〜５倍の溶存酸素水を農業や漁業用など多方面で活用できる。【０００８】  溶存酸素３〜５倍の水を農作物に散布すると成長が著しく助成され、生産性の向上につながることが、実証されている。【０００９】  また、高濃度の溶存酸素を入れた水槽内の実験では、めだかや金魚の成長が顕著な事が確認されているので、養殖漁業などの生産性向上にもが期待もてる。
【発明を実施するための最良の形態】
【００１０】  以下、本発明の実施の形態を図１〜図４に基づいて説明する。【００１１】  本装置は図１，２において、１酸素濃縮装置、２水タンク、３ポンプ、４，５ＳＰＧモジュールを組み合わせたものである。【００１２】  図１，２において２のタンク内の水を、４，５の２つのモジュールを通過させることで、簡単に酸素水ができる。【００１３】  図１，２の１は既製の酸素濃縮装置で、ＳＰＧモジュールに酸素を供給する。【００１４】  図３で１１の酸素供給口に１で製造した酸素を送り、モジュール内を酸素で満たす。その状態でＳＰＧ膜内を水が通過すると、負圧により酸素のバブルが水に混入する。【００１５】  図３で、孔径０．１ミクロンのＳＰＧ膜を用いると、０．５ミクロン前後のバブルが一番多く存在する酸素水ができる。【００１６】  図３のモジュールで、ＳＰＧの入り口に１０のテーパー部を設けて水の流速を早める事により、負圧を高め簡単に酸素バブルが水に混入できる。
【図面の簡単な説明】
【００１７】
【図１】  装置の平面図
【図２】  装置の正面図
【図３】  ＳＰＧモジュールの縦断面図
【図４】  ＳＰＧモジュールの横断面図
【符号の説明】
【００１８】    １．      酸素濃縮装置
２．      １００Ｌ水タンク
３．      ポンプ
４．      ＳＰＧモジュール１
５．      ＳＰＧモジュール２
６．      ＳＰＧ膜（管状）
７．      オイルシール
８．      アダプター
９．      ケース
１０．    テーパー部
１１．    酸素供給口